(57)【要約】【課題】正確かつ公正な時刻情報と個人の特定、識別、認証が可能にして、高信頼のタブレット入力装置における入力用スタイラスペンを提供する。【解決手段】スタイラスペン１０は、このスタイラスペン１０の基準時刻を規定する内部時計１１、発信器１２、演算処理部１４、入力スイッチ１５、バイオメトリクスセンサー１６、認証部１７、メモリ１８及びインターフェース１９、２０を有し、演算処理部１４は、時刻配信機関からの時刻情報を基に内部時計１１の時刻を修正すると共に、認証部１７の認証結果とメモリ１８の各種データを基に、使用者が所有者本人であるか否かを確認する。【選択図】  図４
2005018426.tif 000002
【特許請求の範囲】
【請求項１】
タブレット入力装置における入力用スタイラスペンであって、該入力用スタイラスペンには、
当該入力用スタイラスペン自身のＩＤと、
当該スタイラスペンの基準時刻を規定する内部時計と、
入力操作経歴や時刻合わせの履歴等各種記録情報を記憶する記憶部と、
通信回線を介して外部時刻配信機関との接続を可能とするインターフェース部とを有し、
上記インターフェース部を介して外部時刻配信機関との接続を行うと、上記スタイラスペンのＩＤと当該外部機関に予め登録されたＩＤとの照合確認が行われると共に、上記スタイラスペンの内部時計を時刻配信機関の持つ時刻に合致させるべく時刻配信機関からの時刻情報、又は時刻認証情報を含む時刻情報を入手可能とする構成としたことを特徴とするタブレット入力装置における入力用スタイラスペン。
【請求項２】
タブレット入力装置への情報入力時に、上記入力用スタイラスペンの内部時刻の検知を行い、検知した時刻を当該タブレット入力装置への入力時刻として扱うタブレット入力装置における入力用スタイラスペンであって、
上記スタイラスペンには、
上記タブレット入力装置への入力内容を入力指示する入力手段と、該入力手段が操作されると上記タブレット入力内容をタブレット入力装置へ入力すると共に、スタイラスペンの持つ時刻をタブレット入力装置に入力する時刻入力インターフェース手段とを備えたことを特徴とするタブレット入力装置における入力用スタイラスペン。
【請求項３】
タブレット入力装置への入力時に、タブレット入力装置のＩＤを読み取り、当該タブレット入力装置のＩＤとスタイラスペンの持つ時刻とを関連づけて、スタイラスペン内の記憶部に記憶するように構成したことを特徴とする請求項１又は２に記載のタブレット入力装置における入力用スタイラスペン。
【請求項４】
タブレット入力装置への入力時に、入力用スタイラスペンのＩＤを検知し、当該検知されたＩＤが予めタブレットに登録されたＩＤであることを確認すると、スタイラスペンの所有する内部時計をもってタブレット入力装置に対する入力時刻として入力処理を可能にする時刻送付手段を有することを特徴とする請求項１、２又は３に記載のタブレット入力装置における入力用スタイラスペン。
【請求項５】
内部時計が、時刻配信機関から配信された時刻を基に運針する第１のカウンターと、独自に時刻をカウントする第２のカウンターを有し、当該第２のカウンターは、所定のタイミングで上記第１のカウンターとの同期補正、又は、歩度調整を行うように構成したことを特徴とする請求項１、２、３又は４に記載のタブレット入力装置における入力用スタイラスペン。
【請求項６】
時刻配信機関からの時刻情報取得に際して、前回の時刻取得時からの経過時間と現時点での第２カウンターの示す時刻と新たに取得した正確な時刻との偏差情報を基に、第２のカウンターの基準時間を定める発信器が出力するパルスのカウント数の最適値を計算して、新たな基準時間を定める発信器が出力するパルスのカウント数を決定し、新たな歩度での時計の信頼限界を推定し、内部時計の信頼性有効期限を定めることを特徴とする請求項１、２、３、４又は５に記載のタブレット入力装置における入力用スタイラスペン。
【請求項７】
スタイラスペンに、スタイラスペン内蔵の記憶部に記憶された情報を外部端末並びに外部記憶装置に出力するインターフェース手段を設けたことを特徴とする請求項１、２、３、４、５又は６に記載のタブレット入力装置における入力用スタイラスペン。
【請求項８】
スタイラスペンに指紋認識用センサーを備え、オペレータの指の指紋をセンサーで検知し、予め記憶部に登録された個人指紋データと比較し、比較判定に基づく信号を発する指紋認識手段を備えたことを特徴とする請求項１、２、３、４、５、６又は７に記載のタブレット入力装置における入力用スタイラスペン。
【発明の詳細な説明】
【０００１】
【発明の属する技術分野】
本発明は、タブレット入力装置における入力用スタイラスペンに係り、特に信頼のおける時刻を有するスタイラスペンに関するものである。
【０００２】
【従来の技術】
現在、タブレットＰＣなどに使用されている入力支援装置としてのスタイラスペンは、ペン先自体がスイッチとなっていて、押し込むことによって確定操作とするものや、胴部に指操作するスイッチが付いているものがある。また、特許文献１に記載されているように、ペン自信にコードデータを搭載したり、バイオメトリクスデータの照合手段、筆跡データ保存手段などの所有者情報を持つものが提案されている。
【０００３】
当然、それらはＣＰＵを搭載しているため、内部時計を有しているが、その時刻情報はユーザによる手動設定であったり、使用しているコンピュータの内部時計の情報が転送されたものであり、正確性、公正性に欠けたものである。
【０００４】
上記特許文献１に記載の「ペン入力装置」は、ＩＤコードが具備されたスタイラスペンのＩＤが予め登録されたタブレットとで構成され、スタイラスペンを使用してタブレットへの入力を行う時は、スタイラスペンのＩＤをタブレットが確認するような仕組みになっており、登録のない者によるタブレットへの不正入力使用等の問題が生じないようになっている。
【０００５】
加えて、スタイラスペンは内部時計を備えており、タブレットからスタイラスペンに対して、例えば、スタイラスペンにおける定期的なパスワードの入力等の時刻指定等を行っており、そのことでセキュリティー保護等を図っている。
【０００６】
【特許文献１】
特開平７−２７１４９７号公報
【０００７】
【発明が解決しようとする課題】
各種取引などをコンピュータとそのネットワークにより行なおうとする場合、各種処理が実行された時刻は、取引を行う当事者同士のどちらかのコンピュータの内部時計に由来した時刻情報となり、自分側を有利にするため故意にコンピュータの内部時計を狂わせることも可能であって、公正さに欠ける場合がある。これらの状況は、ユビキタス社会やそれに近い社会状況となれば、さらに多くの問題を生じることは明らかである。
【０００８】
更に、上記特許文献１に記載されているスタイラスペンとタブレットにおける入力方式によれば、タブレットへの入力処理が行われた時刻などは当該タブレットの持つ時刻が反映されるものであり、各タブレットにおける時間の狂いが入力時間の狂いとなって現れ、内容によっては、大きな問題になることがある。
【０００９】
一方、画面に直接触れて入力が可能なタブレットコンピュータ（画面入力型コンピュータ）などが実用化され、近い将来、生活場面各所にごく自然にコンピュータが存在し、情報収集や各種サービス、あるいは行動の支援を行うユビキタス社会の到来が提唱されている。このような状況でコンピュータを利用するにあたり、いつ、何処で、誰が、何を、要求したり利用したりしたのか、という情報が非常に重要になってくる。場所や利用内容などは使用したコンピュータにより特定可能であり、あと必要となるのは、正確かつ公正に時刻情報と個人の特定、識別、認証である。
【００１０】
そこで、本発明の目的は、正確かつ公正な時刻情報と個人の特定、識別、認証が可能にして、高信頼のタブレット入力装置における入力用スタイラスペンを提供することである。
【００１１】
【課題を解決するための手段】
（１）  上記目的を達成するために、本発明のタブレット入力装置における入力用スタイラスペンは、前記請求項１に記載の如く、当該入力用スタイラスペン自身のＩＤと、内部時計と、入力操作経歴や時刻合わせの履歴等各種記録情報を記憶する記憶部と、通信回線を介して外部時刻配信機関との接続を可能とするインターフェース部とを有し、上記インターフェース部を介して外部時刻配信機関との接続を行うと、上記スタイラスペンのＩＤと当該外部機関に予め登録されたＩＤとの照合確認が行われると共に、上記スタイラスペンの内部時計を時刻配信機関の持つ時刻に合致させるべく時刻配信機関からの時刻情報、又は時刻認証情報を含む時刻情報を入手可能とする構成としたことを特徴とする。
【００１２】
（２）  また、本発明のタブレット入力装置におけるスタイラスペンは、前記請求項２に記載の如く、上記入力用スタイラスペンであって、上記スタイラスペンには、タブレット入力装置への入力内容を指示する入力手段と、入力手段が操作されると上記タブレット入力内容をタブレット入力装置へ入力すると共に、スタイラスペンの持つ時刻をタブレット入力装置に入力する時刻入力インターフェース手段とを備えたことを特徴とする。
【００１３】
（３）  また、本発明のタブレット入力装置におけるスタイラスペンは、前記請求項３に記載の如く、タブレット入力装置への入力時に、タブレット入力装置のＩＤを読み取り、当該タブレット入力装置のＩＤとスタイラスペンの持つ時刻とを関連づけて、スタイラスペン内の記憶部に記憶するように構成したことを特徴とする。
【００１４】
（４）  また、本発明のタブレット入力装置における入力用スタイラスペンは、前記請求項４に記載の如く、タブレット入力装置への入力時に、入力用スタイラスペンのＩＤを検知し、当該検知されたＩＤが予めタブレットに登録されたＩＤであることを確認すると、スタイラスペンの所有する内部時計をもってタブレット入力装置に対する入力時刻として入力処理を可能にする時刻送付手段を有することを特徴とする。
【００１５】
（５）  また、本発明のタブレット入力装置における入力用スタイラスペンは、前記請求項５に記載の如く、内部時計が、時刻配信機関から配信された時刻を基に運針する第１のカウンターと、独自に時刻をカウントする第２のカウンターを有し、当該第２のカウンターは、所定のタイミングで上記第１のカウンターとの同期補正、又は、歩度調整を行うように構成したことを特徴とする。
【００１６】
（６）  また、本発明のタブレット入力装置における入力用スタイラスペンは、前記請求項６に記載の如く、時刻配信機関からの時刻情報取得に際して、前回の時刻取得時からの経過時間と現時点での第２カウンターの示す時刻と新たに取得した正確な時刻との偏差情報を基に、第２のカウンターの基準時間を定める発信器が出力するパルスのカウント数の最適値を計算して、新たな基準時間を定める発信器が出力するパルスのカウント数を決定し、新たな歩度での時計の信頼限界を推定し、内部時計の信頼性有効期限を定めることを特徴とする。
【００１７】
（７）  また、本発明のタブレット入力装置における入力用スタイラスペンは、前記請求項７に記載の如く、スタイラスペンに、スタイラスペン内蔵の記憶部に記憶された情報を外部端末並びに外部記憶装置に出力するインターフェース手段を備えたことを特徴とする。
【００１８】
（８）  更に本発明のタブレット入力装置における入力用スタイラスペンは、前記請求項８に記載の如く、スタイラスペンに指紋認識用センサーを備え、オペレータの指の指紋をセンサーで検知し、予め記憶部に登録された個人指紋データと比較し、比較判定に基づく信号を発する指紋認識手段を備えたことを特徴とする。
【００１９】
上記（１）で述べた手段によれば、スタイラスペンはインターフェースを介して外部時刻配信機関に接続され、予め外部機関に登録されている当該スタイラスペンのＩＤが照合確認され、確認の結果、登録済みのＩＤであることが確認されれば、時刻配信機関の正しい時刻を通信回線を介してスタイラスペン側に送り、スタイラスペンの内部時計を時刻配信機関の持つ時刻に合わせることができる。その際、スタイラスペンの所有者を含む何人も、スタイラスペンの内部時刻を上記外部機関からの時刻合わせ以外の方法にて修正することは出来ないから、極めて信頼度の高い時刻がスタイラスペン内で刻まれることになる。
【００２０】
上記（２）で述べた手段によれば、スタイラスペンの操作によってタブレット上に表示したデータをタブレットコンピュータに入力する際に、スタイラスペンの持つ時刻を利用して入力できるから、時刻配信機関から送られた正確な時刻を入力することが可能になる。
【００２１】
上記（３）で述べた手段によれば、タブレット入力時に、スタイラスペンがタブレットのＩＤを読み取り、当該タブレットのＩＤとスタイラスペンの持つ時刻とを関連づけて、スタイラスペン内の記憶装置に記憶するように構成したから、スタイラスペンの所有者は、その記録を手元に残しておけるため、タブレットから入力した事項に関し、その日時に纏わるトラブル等が生じた際は、その日時立証が可能になる。
【００２２】
上記（４）で述べた手段によれば、タブレット入力時に、入力用スタイラスペンのＩＤを検知し、当該検知されたＩＤであることを確認すると各種入力等の操作を可能にしたから、ＩＤを登録したスタイラスペンを所有する場合は、スタイラスペンの内部時計を利用した処理がなされ、正確な入力処理が可能になる。
【００２３】
上記（５）で述べた手段によれば、内部時計は、時刻配信機関から送られた正確な時刻を基にして自身の時計の歩度をチェックし、歩度修正を行うから、常に正しい時刻を刻むことができる。
【００２４】
上記（６）で述べた手段によれば、上記の内部時計を、内部時計上の現在時刻を一方のカウンターと、時刻配信機関より新たに取得した正確、公正な時刻を示す他方のカウンターにより構成して、単位時間あたりの内部時計と正確な時計との偏差を計算することができるため、この偏差を元に基準周波数のカウント数を調整することにより、前回よりも高い精度の運針を行うことを可能にする。
【００２５】
上記（７）で述べた手段によれば、スタイラスペンに記憶された各種情報を、携帯電話機などを含む各種端末機に対して出力したり、外部メモリーに保存できるから、タブレット入力装置への入力日時等を巡る、立証データとして保管することができる。
【００２６】
更に上記（８）で述べた手段によれば、オペレーターの指紋の認証がスタイラスペンを使用可能にする条件になっているため、タブレット入力装置への入力日時等を巡るデータの公正性と信頼性を、より高いものにすることができる。
【００２７】
【発明の実施の形態】
以下に、本発明の実施の形態による装置について、図１から図６を参照しながら説明する。図１は入力用スタイラスペンの概略の全体図であり、入力用タブレット装置に対して、本発明の入力用スタイラスペンを用いて入力を行う様子を示すものである。図１において、１０はスタイラスペン、３０はタブレットであって、このタブレット３０は、センサーパネル３１と液晶等を使用した表示パネル、及び、保護パネル（図示省略）を備えると共に、アンテナ３２を備えている。使用者の指先８０でスタイラスペンを掴みセンサーパネル３１に所定の情報を書き込むと、スタイラスペン１０とアンテナ３２との間で、時刻データやＩＤあるいは筆跡データの要求や授与などの双方向データ通信を行う。タブレット３０は、表示装置とタブレットを重ね合わせて同一画面で表示および座標入力することができ、所定の領域においてスタイラスペン１０によって指示された位置の座標データを含むイメージデータを、後述する記憶部に記憶するように構成されている。
【００２８】
図１において示されているタブレット３０に設けられたアンテナ３２は、スタイラスペン１０との接触、非接触を問わず相互のデータを通信するインターフェース機能を備えており、スタイラスペン側に設けられた同じく通信を行う為のインターフェース部と共に、ＩＤ等のコードや、データを授受する機能を備えている。インターフェースは、被入力コンピュータ（入力対象のコンピュータ）又は他の装置と、無線電波、電磁誘導、音響、光（例えば赤外線）などの非接触手段、あるいは、電気的接続などによる接続手段で双方向にデータの授受が可能である。
【００２９】
図２に示すように、スタイラスペン１０の先端部には、入力スイッチ１５と指紋確認用センサー１６が設けられている。タブレット３０への入力に際して個人の認識を行う場合は、スタイラスペン１０に設けられた指紋認識用センサー１６にて本人認識してタブレット３０の操作開始を行うことになり、またタブレット３０に表示されたデータを入力する際には、指先で入力スイッチ１５を操作するように構成されている。更にスタイラスペン１０には、所有者の指紋、声紋などのバイオメトリクスデータ（身体的特徴情報）を取得するためのセンサーと、信号処理部と、予め取得した所有者のバイオメトリクスデータをメモリ部に格納し、記憶された所有者のバイオメトリクスデータと新たに取得したバイオメトリクスデータを比較して、使用者が所有者本人であるか否かを判定する認証プログラムからなるバイオメトリクス照合手段を備える場合もあるが、本人認識に関しては、この方法に限らず様々な方式があることは勿論である。
【００３０】
図３はスタイラスペン１０と外部記憶部４０を接続することで、スタイラスペン１０に記憶された各種情報を外部記憶部４０に対して書き込みを行うようにした状態を示すものである。スタイラスペン１０の基部には、図３に示すように、外部記憶部４０用の接続部（インターフェイス）２０が設けられていて、外部記憶部４０へＳＩＭカード４１〜４３のいずれか１つを差し込むと、これらのカードとの交信を可能にする。図３では、スタイラスペン１０を利用してタブレット入力装置を使用するオペレータ等の各個人毎に所持することが出来るように、小型カード又はチップを、スタイラスペン１０に対してそれぞれ接続可能にするものである。尚、本発明は上記実施例に限定されることなく、特許請求の範囲で記載した発明の範囲で、種々の変形が可能であり、これらも本発明の範囲に含まれるものである。
【００３１】
図４はスタイラスペン１０の内部構造および入力支援装置を示すブロック図であって、入力支援装置は、スタイラスペン１０と、タブレット３０と、ＳＩＭカード等が着脱自在な外部メモリ４０と、時刻配信機関５０およびユーザ６０から成っていて、スタイラスペン１０は、外部記憶部４０と、タブレット３０に接続されると共に、情報伝達手段としての専用回線７０を介して時刻配信機関５０とユーザ６０の制御演算部であるコンピュータ（ＰＣ）６１に接続される。
【００３２】
時刻刻配信機関５０は、正確な時刻を刻む例えば原子時計５１とコンピュータ５２を有する機関であり、時刻配信機関５０のサーバをインターネット７１や専用回線７０を介してユーザー６０のコンピュータ６１に接続していて、時刻配信機関５０の持つ正確な時刻で、スタイラスペン１０の時刻を修正するために、ユーザー６０のサーバに配信するものである。また、時刻配信機関のサーバには、ユーザー６０のサーバを介して送られてくるＩＤを照合する登録されたＩＤを記憶したデータベースが設けられている。
【００３３】
スタイラスペン１０は、内部時計１１と、比較器１２と、電源１３と、演算処理部１４と、入力スイッチ１５と、センサー１６と、認証部１７と、メモリ１８と、タブレット３０およびユーザ６０のコンピュータ６１と演算処理部１４とを接続する第１のインターフェース１９と、演算処理部１４と外部記憶部４０とを接続する外部記憶部用の接続部である第２のインターフェース２０、および演算処理部１４の演算結果を表示する表示器２１によって構成される。
【００３４】
認証部１７は、センサー１６による指紋等のアナログ信号をデジタル信号に変換するＡ／Ｄコンバータを有し、２値化信号を出力する信号処理部１７ａと、信号処理部１７ａの２値化信号を入力とする比較判定プログラム部１７ｂを有する。メモリ１８には、スタイラスペン１０のＩＤや使用者の個人情報等の各種情報が予め格納されており、演算処理部１４と各種データの授受を行う。認証部１７の比較判定プログラム部１７ｂは信号処理部１７ａの２値化信号とメモリ１８の各種データを比較判定し、認証結果を演算処理部１４に導く。
【００３５】
内部時計１１は、時刻歩度信号であるパルス信号を発生する発信器１１ａと、発信器１１ａのパルス信号をカウントして内部時計の現在時刻データを生成する第１のカウンタ１１ｂと、同じく発信器１１ａのパルス信号と正規な時刻データとを基にカウントする第２のカウンタ１１ｃとを有する。
【００３６】
スタイラスペン１０において、内部時計１１の発信器１１ａは、第１のカウンタ１１ｂと第２のカウンタ１１ｃにパルス信号を入力する。第１のカウンタ１１ｂは、前回の時刻取得処理の完了後運針を続けてきたカウンタであって、内部時計１１の現在時刻を演算処理部１４に導くと共に、カウントデータを比較器１２に導く。第２のカウンタ１１ｃは、時刻配信機関５０から得た新たな時刻情報を書き込んで運針を開始するカウンタであって、時刻配信機関５０からの正確な時刻情報に基づく正確な時刻データを計数してカウントデータを比較器１２に導く。比較器１２は、第１のカウンタ１１ｂと第２のカウンタ１１ｃからの時刻情報とを比較してその偏差データを演算処理部１４に導く。なお、第１のカウンタ１１ｂと第２のカウンタ１１ｃは、スタイラスペン１０の時刻取得処理毎に役割を交代してもよい。
【００３７】
演算算処理部１４は、第１のインターフェース１９を介して時刻配信機関５０の時刻情報を受け入れて正規な時刻データを生成すると共に、第１のインターフェース１９を介してタブレット３０との間で各種の情報データの授受を行う。また、演算処理部１４は、内部時計１１の現在時刻データと、比較器１２の偏差情報をもとに演算処理して、メモリ１８への偏差データやメモリ１８からの歩度調整係数の読み出しを実行する。
【００３８】
第１のインターフェース１９はタブレット入力装置３０とスタイラスペン１０を仲介するインターフェースであり、例えば、タブレット３０のＩＤ並びに入力情報等の各種データを第１のインターフェース１９を介してスタイラスペン１０側に送ったり、逆にスタイラスペン１０のＩＤや、スタイラスペン１０の内部時計の時刻情報をタブレット３０に送る為のインターフェース部である。第１のインターフェース１９における接続形態は、例えばアンテナとかの非接触式であったり、電線コードをコネクターにて接続するとかの接触式であってもよく、その形態は問わない。
【００３９】
内部時計１１は、前述したように発信器１１ａと、独自の時刻をカウントする第１のカウンタ１１ｂと、時刻配信機関５０から配信された基準時刻を基に運針する第２のカウンタ１１ｃを有し、当該第２のカウンタ１１ｃは所定のタイミングで第１のカウンタ１９との歩度を比較器１２にて比較し、その偏差値を基に、歩度修正すべくカウンタに対し、例えば基準時間である１秒を定める基本パルス数を決定するものである。基本パルス数が決定されると、第２のカウンタ１１ｃは、第１のカウンタ１１ｂに時刻同期し、引き続き、新たな基本パルス数の基に基準時間を運針することとなる。演算処理部１４は上記パルス数の決定等を行う役割も行うものである。
【００４０】
更に、上記で述べた偏差値を基に算出される基準時間である１秒を定める基本パルス数は、前回の時刻取得時からの経過時間と、時刻配信機関から配信された時刻を基に運針する第１のカウンタ１１ｂと独自に時刻をカウントする第２のカウンタ１１ｃとの歩度差を基に、例えば歩度修正すべく第２のカウンタ１１ｃに対し、基準時間である１秒を定める基本パルス数を計算して決定するものであるから、算出された値は計算上丸められて決定されるものであることから、理論値に対する誤差を含むものであり、正しく時刻合わせを行った場合でも、上記誤差が次第に累積されて時刻の狂いが生じてくるものである。又、誤差は気温等の環境によって引き起こされるから、本発明では、その狂いを予め予測し、許容される期間を限度として、新たに正しい時刻を合わせるべく時刻配信機関５０からの時刻配信を行うべく、又その旨を知らせるための処理なり、警報を発するように構成されている。
【００４１】
尚、歩度調整は、具体的に述べると、単位（あるいは基準）時間τ（例えば１秒）を定めるには、内部時計の理論発信周波数をｆ０とすると、カウンターはｆ０個のパルスをカウントすることで、現在時刻にτを加算する。ある時点で基準となる時計（ＵＴＣを構成する原子時計など）から正確な時刻を取得し、その瞬間から自己の基準発信器の出力パルスをカウントすることで自走する内部時計において、その基準発信器の周波数ｆは、回路の出力特性や環境などの外乱の影響でほとんどの場合、ｆ≠ｆ０であり、自走を継続すると必ず時間偏差が発生する。
【００４２】
例えばｆ＞ｆ０の場合、単位時間を定めるためにｆ０個のパルスをカウントすると、単位時間あたり（ｆ−ｆ０）／ｆ０の進みが発生する。従って、正確な時刻を取得してから時間がＴだけ経過すると、△Ｔ＝Ｔ・（ｆ−ｆ０）／ｆ０だけ進む。単位時間あたりの進み量△τは、△τ＝τ・（ｆ−ｆ０）／ｆ０となる。この式より、実際の基準発信器の周波数ｆは、ｆ＝ｆ０・（１＋△τ／τ）と推定できる。
【００４３】
また、前回の時刻取得処理から今回の時刻取得処理までの経過時間数Ｔと、発生した偏差△Ｔより、△τ＝△Ｔ／Ｔが求まりｆ＝ｆ０・（ｆ＋△Ｔ／Ｔ／τ）となる。従って、以後、次の時刻取得処理までは、単位時間のカウント数をｆ＝ｆ０・（１＋△Ｔ／Ｔ／τ）で実行すれば、より精度の高い歩度が確保される。
【００４４】
メモリ１８は、スタイラスペン１０のＩＤコードやパスワード、指紋情報等の認証コード情報を記憶するものであり、時刻配信機関等におけるコンピュータを介して入力設定されるものである。メモリ１８は更に、タブレット３０との接続においてタブレット３０側の各種情報、例えば、タブレット３０のＩＤとか、タブレット３０への入力事項等を入力時刻と共に記憶することができる。
【００４５】
入力スイッチ１５は、図１に示す如く、オペレータがスタイラスペン１０を指８０で掴んだ際に指で操作可能な位置に設けられ、タブレット３０上に表示された入力情報を入力する際に操作するものである。表示部２１は、必要に応じて付加することが出来るものであり、操作案内とか各種情報の表示等の表示を行う。
【００４６】
認証部１７は、図１に示す如くオペレータの指紋をセンサーで検知し、予め登録された個人指紋データと比較し、本人を判定するものであり、公知の指紋指紋認証装置であれば良い。外部記憶部４０用の接続部である第２のインターフェース２０は、例えば、ＩＣカードとかＳＩＭカード等の外部メモリーを着脱可能なインターフェース部である。
【００４７】
スタイラスペン１０は、コンピュータ６１を介して情報伝達手段である通信回線７０のインターネット７１と接続されたことを検出し、時刻配信機関５０に接続する。接続された段階で、スタイラスペン１０は自らのＩＤを送信し、時刻配信機関５０がそれを確認することで、時刻配信機関５０の管理する正確な現在時刻を送信する。送信された現在時刻に内部時計１１を合わせ、偏差情報をもとに歩度調整係数などを計算、置数する。場合によっては、時刻取得処理を開始、終了した時刻や歩度調整係数などを時刻配信機関に送信し、これらの情報を時刻配信機関側で管理することも考えられる。情報取得処理完了を演算処理部１４が表示器２１を使って知らせる。
【００４８】
図５は、上述したスタイラスペン１０を時刻配信機関５０に接続して時刻取得を行う時の手順を示すフローチャートであって、ステップＳ１で使用者はスタイラスペン１０を第１のインターフェース１９に接続する。ステップＳ２で、ユーザ６０のパーソナルコンピュータ（ＰＣ）６１は、当該コンピュータ６１とスタイラスペン１０とが接続されているか否かを判断する。ステップＳ３でコンピュータ６１は時刻取得処理画面でインターネットへの接続を要請し、ステップＳ４に進み、インターネット７１で配信機関５０のサーバであるコンピュータ５２に接続する。
【００４９】
次に、ステップＳ５で、スタイラスペン１０はコンピュータ６１を介して時刻配信機関５０のサーバであるコンピュータ５２にＩＤを送付する。次にステップＳ６に進み、コンピュータ５２は該当ＩＤが登録されているか否かを判断する。ステップＳ６でＩＤが登録されておれば、ステップＳ７に進み、配信機関５０は時刻情報をスタイラスペン１０に時刻情報を送付する。
【００５０】
ステップＳ８で、スタイラスペン１０の演算処理部１４は、時刻同期処理や歩度調整を実行すると共に、時刻の信頼限度を推定して有効期限を定める。ステップＳ９で、時刻配信機関５０は時刻取得処理完了を表示し、ステップＳ１０で使用者はスタイラスペン１０をコンピュータ６１から取り外し、動作を完了する。
【００５１】
尚、ステップＳ２でスタイラスペン１０とコンピュータ６１が接続されていなければ、ステップＳ１１に進み、コンピュータ６１が接続要求を表示する。また、ステップＳ６でＩＤが登録されていなければ、ステップＳ１２に進み、時刻配信機関５０はＩＤ登録、ユーザ登録依頼の送信を行い、ステップＳ１３に進み、コンピュータ６１は登録画面を表示し、次にステップＳ１４に進み、スタイラスペン１０は登録処理を実行し、ステップＳ７に進む。
【００５２】
図６は指紋による使用者認証フローを示し、ステップＳ１５で、使用者は被入力部であるタブレット３０にスタイラスペン１０を近づけるか又はその画面にタッチさせる。ステップＳ１６でスタイラスペン１０は認証の要求を行い、ステップＳ１７で、使用者はスタイラスペン１０の指紋確認用センサー１６に指を乗せて認証部１７に指紋を読み込ませる。
【００５３】
ステップＳ１８で認証部１７は指紋の読み込みを行い、ステップＳ１９で指紋データを照合し、ステップＳ２０で認証部１７の比較判定プログラム部１７ｂは使用者が本人であるか否かを判断する。ステップＳ２０で本人であると判断すれば、ステップＳ２１に進み、認証情報を演算処理部１４に認証送信する。ステップＳ２２で演算処理部１４は認証情報を受領し、ステップＳ２３で認証ＯＫを指示する。ステップＳ２４でスタイラスペン１０は各種処理実行して動作を終了する。
【００５４】
ステップＳ２０で本人でないと判断すれば、ステップＳ２５に進み警告、警報を発する。ステップ２６で使用者は継続すべきか否かを判断する。継続すべきでなければ動作を終了し、継続すべきと判断すれば、ステップ１７からステップＳ２０の動作を行う。
【００５５】
上記の実施例によれば、タブレット３０（ＰＣ）への入力に使用するスタイラスペン１０には、スタイラスペン使用者でも時刻修正操作を行うことが出来ない内部時計１１を内蔵させる。この内部時計１１はインターフェース１９を介してインターネット７１に接続可能なＰＣ６１と接触、非接触を問わず接続することで、公正かつ正確な時刻情報を配信可能な時刻配信機関５０のタイムサーバ５２に接続し、そこから取得した時刻情報を起点として、自信の発信器１１ａのパルスをカウントすることで現在時刻情報を得る。したがって、スタイラスペン１０には公正かつ正確な時刻情報を持たせることが可能であり、対象となるコンピュータに対する処理に付帯する時刻情報は、スタイラスペン１０固有の時刻とすることで、公正と正確性が確保される。
【００５６】
したがって、スタイラスペン１０は時刻取得処理を行った時点で非常に正確かつ公正な時刻を起点として運針が始まる。以後の時計精度はスタイラスペン１０に内蔵された内部時計１１の精度や環境条件に委ねられることになる。
【００５７】
そこで、上記内部時計１１を基準周波数の発信器１１ａと２個のカウンター１１ｂ，１１ｃにより構成し、一方のカウンター１１ｂは前回の時刻取得処理から運針を続けてきた内部時計上の現在時刻を示し、他方のカウンタ１１ｃは時刻配信機関５０より新たに取得した正確かつ公正な時刻情報を起点にした時刻を示す。この両カウンタ１１ｃ，１１ｃの示すそれぞれの現在時刻の差を、前回の時刻取得処理から今回の時刻取得処理までの時間数で除することにより、単位時間あたりの内部時計１１と正確な時計との偏差を計算できる。この偏差をもとに、単位時間を定める基準周波数のカウント数を調整することで、前回よりも精度の高い運針が可能となる。この処理は、スタイラスペン１０自身が行っても良いし、ネットワーク経由で各種情報を時刻配信機関５０に送信し、時刻配信サーバ５２で計算しその結果を送り返してもらってもよい。
【００５８】
同時に、新たな時刻計算のための緒元に基づき、将来的な時間の狂いを推定することができるため、時刻更新の警報を発したり、内部時計１１の信頼性の有効期限を定めたりすることも可能となる。
【００５９】
被入力ＰＣに対する各種処理の実行時刻の記録として、スタイラスペン１０の内部時計由来の時刻情報を、光や電波による通信手段を介して被入力ＰＣに送信し、処理内容に関連づけることにより、時刻情報の正確性と公正性の確保が可能となる。
【００６０】
また、所有者情報など各種情報を記憶したＳＩＭカードやＵＩＭカードなどのインターフェースを持ち、カードの差し替えによって、所有者情報、機能などを変更可能にすることができるように構成することも可能とする。
【００６１】
【発明の効果】
以上述べた次第で本発明によれば、正確かつ公正な時刻情報と個人の特定、識別、認証が可能にして、高信頼のタブレット入力装置における入力用スタイラスペンを提供することができるものであって、各種処理を行う場合に、個人の認証や正確な時刻の記録が不可欠な状況になりつつある最近の社会生活において、必要不可欠なアイテムとなりうるものである。
【図面の簡単な説明】
【図１】本発明の実施の形態によるタブレット入力装置における入力用スタイラスペンの概略構成図。
【図２】本発明の実施の形態によるタブレット入力装置のスタイラスペンの概略構成を示す平面図。
【図３】本発明の実施の形態によるタブレット入力装置のスタイラスペンと外部記憶装置との接続状態を示す正面図。
【図４】本発明の実施の形態によるタブレット入力装置における入力用スタイラスペン内部構成を示すブロック図。
【図５】本発明の実施の形態によるタブレット入力装置における入力用スタイラスペンを時刻配信機関に接続して時刻配信を受ける動作を示すフローチャート。
【図６】本発明の実施の形態によるタブレット入力装置における入力用スタイラスペンの指紋による使用者認証動作を示すフローチャート。
【符号の説明】
１０          スタイラスペン
１１          内部時計
１１ａ        発信器
１１ｂ        第１のカウンター
１１ｃ        第２のカウンター
１２          比較器
１４          演算処理部
１５          入力スイッチ
１６          センサー
１７          認証部
１８          メモリ
１９          第１のインターフェース
２０          第２のインターフェース
３０          タブレット
４０          外部メモリ
５０          時刻配信機関
７０          通信回線
【図１】
2005018426.tif 000003
【図２】
2005018426.tif 000004
【図３】
2005018426.tif 000005
【図４】
2005018426.tif 000006
【図５】
2005018426.tif 000007
【図６】
2005018426.tif 000008